(57)【要約】【課題】  従来、コントラスト比を高める手段は、光透過率を落としたパネルを光の出射面につけるのが一般的であり、表示素子からの出力光も低減するという課題があった。一方、明室で高コントラストが得られる光学シートは、指向性のある出力光でしか効果がない、という課題があった。【解決手段】  傾斜面にある曲率をもたせた円錐台状の針状導光路体を林立させ、表示素子の出力光は針状導光路体の内部を全反射で伝播され、外光は楔面を形成する表面で多重反射を繰り返し減衰する。さらに、針状導光路体の表面に光吸収膜を塗布すると、コントラスト比がより大きくなる。前記構造において、明室での光コントラスト化を達成し、林立する針状導光路体を長くし、針状導光路の光入射面を表示パネル表示面に密着させることで、隣接する画素間のクロストークを低減し、表示光によるコントラスト低下も軽減する。【選択図】  図２
2006146093.tif 000002
【特許請求の範囲】
【請求項１】
表示パネルの前面に配設された前面板であって、
錐台状の突起を複数備え、
該錐台状突起の光軸に垂直な方向の断面積が光の出射方向に対して次第に小さくなるように配設され、
該錐台状突起が該表示パネルの単位画素面積に対応する領域内に複数含まれており、
該錐台状突起の形状が凸関数で表された曲率に基づいて構成されていることを特徴とする前面板。
【請求項２】
請求項１記載の前面板において、
前記該錐台状突起の傾斜部の形状がy= |a×xn|（ｎ：１より大きな正数）であることを特徴とする前面板。
【請求項３】
請求項１又は２記載の前面板において、
前記錐台状突起の傾斜部の形状が複数の関数を組み合せた曲率で構成されていることを特徴とする前面板。
【請求項４】
請求項１乃至３いずれかに記載の前面板において、
前記錐台状突起の突起面を除く表面を覆うように光を反射する光反射膜を設けたことを特徴とする前面板。
【請求項５】
請求項１乃至４いずれかに記載の前面板において、
前記錐台状突起の突起面を除く表面を覆うように光を吸収する光吸収膜を設けたことを特徴とする前面板。
【請求項６】
請求項１乃至５いずれかに記載の前面板において、
相隣接する前記錐台状突起の間を充填するように外光を吸収する光吸収層を設けたことを特徴とする前面板。
【請求項７】
請求項１乃至６いずれかに記載の前面板において、
前記錐台状突起は、その突起面に光を散乱させる散乱面を備えることを特徴とする前面板。
【請求項８】
前記表示パネルの前面に前記表示パネルと一体又は別体として配設された請求項１乃至７のいずれかに記載の前面板を具備したことを特徴とする表示装置。
【請求項９】
複数の画素を有する表示パネルの前面に配設された外光反射を防止する前面板であって、
外光の反射を防止するための錐台状突起を複数備え、
該錐台状突起の光軸に垂直な方向の長さが光の出射方向に対して次第に小さくなるように配設され、
該錐台状突起の傾斜部の形状が凸関数で表された曲率で構成されていることを特徴とする前面板。
【請求項１０】
複数の画素を有する表示パネルの前面に配設された外光反射を防止する前面板であって、
外光の反射を防止するための錐台状突起を複数備え、
該錐台状突起の光軸に垂直な方向の長さが光の出射方向に対して次第に小さくなるように配設されたことを特徴とする前面板。
【発明の詳細な説明】
【技術分野】
【０００１】
明るい部屋で表示画面を見たときの外光によるコントラスト（以下、明室コントラストと称する）の低下を軽減する表示装置に関する。
【背景技術】
【０００２】
従来、プラズマディスプレイ（以下、ＰＤＰ）等の自発光型の画素をマトリクス状に配列した表示パネルを用いた表示装置において、明室コントラストの向上手段としては、前面板に入射した光（以下、「外光」と記す）が前面板の反対面または前記表示パネルで反射されて戻ってくる間に（即ち前面板を２回往復する間に）、外光を減衰させて表示パネルからの出力光と外光との比を大きくすることでコントラストを向上させる技術がある。このような技術については、例えば、特許文献１の２頁右欄段落番号[０００９]で開示されている。
【０００３】
その他の明室コントラスト向上手段としては、前面板の外光入射面に、外光を反射させない反射防止膜を設ける技術等があり、いずれも外光による映り込みを防止して明室コントラストを向上させるものである。これらの技術は、例えば特許文献２の図４で開示されている。
【０００４】
また、特許文献３では、透過率の調整以外にも不要輻射の低減効果、色温度調整機能、赤外線低減効果、パネルガラス保護機能などの役割を持たせた前面板が開示されている。
【０００５】
さらに、明室でのコントラストを向上するための別の手段としては、音や電波を反射させずに吸収する楔形突起に類似した、例えば、円錐台等の錐台状突起を透過型スクリーンの出射面に形成する技術がある。これらの技術は、例えば、特許文献４、特許文献５などで開示されている。
【０００６】
【特許文献１】特開２０００−２０６９３２号公報（２頁右欄段落番号[０００９]）
【特許文献２】特開２００２−８３５４８号公報（図４）
【特許文献３】特開平１０−２８３９３９号公報
【特許文献４】特開平６-１９４７４１号公報
【特許文献５】特開２００３-５０３０７号公報
【発明の開示】
【発明が解決しようとする課題】
【０００７】
しかしながら、上記特許文献１乃至３において開示されている技術においては、外光とともに出力光も透過率τ分だけ減少してしまい、出射光をあらかじめ増大させておく必要がある。いずれの場合にも、透過率を調整することにより明室コントラストの向上を図っている機能には変わりはないが、発光素子の出射光まで減衰させているという課題は存在する。従って、もともとの出力輝度の小さな表示パネルや光出力効率の小さな表示パネルに上記特許文献に開示された技術を組み合せたとしても明室コントラスト改善の抜本的解決にはならない。
【０００８】
また、上記特許文献４乃至５においては、円錐台等の錐台状突起を透過型スクリーンの出射面に形成する技術が開示されているが、指向性のある光が透過型スクリーンの出射面に入力されることが前提である。一方、例えばＰＤＰ等の発光パターンがランベルト分布に従う自発光型の表示パネルにおいては出射光が散乱してしまうため、上記特許文献４乃至５の技術をＰＤＰ等に適用したとしても明室コントラストの有効な改善は実現できない。以下、図８を用いて詳細に説明する。
【０００９】
図８は、上記した凸状突起を形成した光学板を前面板として用いた一例を示した図である。図８に示すように、例えば、ＰＤＰ、フィールドエミッションディスプレイ（以下、「ＦＥＤ」と省略する）などの２の表示面に、突起部１１０’を形成した光学板を接着層３を介して張り付けた場合、ＰＤＰやＦＥＤの表示画素４００から出た光は指向性を持たないため（ランベルト分布）、表示画素４００から出射した光が、例えば、隣接表示画素４０１上に形成された、隣り合う突起部に入射して漏光５００となる。あるいは、表示画素４００から出射した光が平坦部１５０にぶつかって多重反射を繰り返し迷光５０１となる。このため、以下に述べるように結果的に画像がボヤケたり、コントラストが低下するという課題がある。
【００１０】
例えば、図８に示すように突起部１１０’が作られた場合、導光路となる突起部１１０’に入射する光が減少する。例えば、表示画素４００から出射した光のうち表示画素４００に対応した突起部に入射できない光は、迷光５０１あるいは漏光５００となり、表示光自身で表示画像のコントラストを劣化させ、画質を低下（ボヤケ）させる。
【００１１】
さらに、例えば、上記特許文献４の図５のように入射部（突起部の底辺部）を角錐の底辺のような形状とし、平坦部をなくす構造にしても入射する光が指向性をもった平行光に近い光でなければ、突起部１１０’への光の取り込みが乱れ、光学的なクロストークが発生する。
【００１２】
また、前記形状は入射部を角錐形状とし、出射部を円錐形状としてなだらかに繋いではいるが、光の反射は複雑となる。そのため、指向性の無い光、あるいは指向性のブロードな光が入射した場合は、全反射などの条件が乱れ、光の損出が生じる。これは画質に悪影響を及ぼす。
【００１３】
迷光発生による画質低下、光学的なクロストークおよび光の損失などの課題は、それぞれの突起部１１０’における光の入射部が発光源から離れている構造で、指向性の無い光（ブロードな指向性の場合も含む）を扱うために生じる課題である。特に、例えば上記特許文献４，５の場合は、製法上の制約により、母体となるシートの厚さが厚いために影響は大きい。もともと、同文献で示されたものは、平行光のような指向性のついた光に対しては有効であり、指向性のついた光を扱う投射型ディスプレイの透過型スクリーンの改良技術として考えられたため、ＰＤＰやＦＥＤの表示光のような無指向性の光に対しては、突起部の取り込みの乱れによる迷光の発生、光のロス、クロストークの増加などが大きな課題となる。
【００１４】
さらに、図８に示すように、突起部１１０’の光取り込み側と光源となる表示画素４００との距離（ｔ１で表示）が離れていると、突起部１１０’の光取り込み面の半径ｒが大きくないと取り込み量は小さくなる。反対に半径ｒを大きくすると取り込み量は増加するが、隣の画素からの漏れ込み量も多くなり、クロストークが増加し、画質劣化、解像度の低下が生ずる。解像度の低下を防ぎ、クロストークを低減するには、突起部の底面のｒは表示画素の大きさに対して十分小さいことが必要であると同時に、光源から光取り込み口（突起部の入射面）までの距離ｔ１が小さい必要がある。
【００１５】
また、上記特許文献４，５では、具体的なシートの作り方についても言及しているが、製法の簡単さからロールによる転写を提案している。ロールによる転写は、大量生産・低コスト化には適している反面、指向性の無い光を扱うには不向きで、提案された方法を適用し、迷光発生による画質低下、光学的なクロストーク、および光の損失などの課題である性能を改善するには困難さが伴った。
【００１６】
本発明は、上記した事情に鑑みて成されたものであり、その目的は、明室コントラストを向上させ、画素間クロストークや迷光による画質劣化，コントラストの低下を低減できる前面板およびそれを用いた表示装置を提供することにある。
【課題を解決するための手段】
【００１７】
本発明は、上記課題を解決するために、複数の画素を有する表示パネルの前面に配設された外光反射を防止する前面板であって、断面積が前記表示パネルからの出射光方向に次第に小さくなる外光反射防止の錐台状突起を複数備え、前記錐台状突起の斜面が高次の関数の曲率を持った形状となっており、前記表示パネルの単位画素面積に対応する領域内に複数含まれる構成とする。そして、前記突起斜面が凸関数の曲率を有する錐台状突起を前記表示パネルの表面上に光学的に装着される構成とする。
【発明の効果】
【００１８】
本発明によれば、明室コントラストを向上させ、画素間クロストークや迷光による画質劣化，コントラストの低下を低減できる前面板およびそれを用いた表示装置を提供することができる。
【発明を実施するための最良の形態】
【００１９】
以下、本実施例について図を用いて詳細に説明する。なお、各図において、共通な機能を有する部分には同一符号を付して示し、一度説明したものについては、その部分の繰り返した説明を省略する。
【実施例１】
【００２０】
本実施例は、表示装置における明室コントラストの向上、および表示装置からの出射光が指向性を持たないかあるいはブロードな指向特性を有する場合に生じる画素間クロストークと迷光による画質劣化、コントラスト低下の低減を図るために、「光の減衰量は光の多重反射では大きく、全反射では小さい」と言う性質を応用し、表示装置の表示パネルの前面に、側面の傾斜部の形状が表示パネル側に凸な関数で近似できる曲率をもった先細の錐台状の針状突起（以下、「錐台状突起」と記す）が林立したシート状の前面板を密着して配設することを特徴とするものである。
【００２１】
図１は、本実施例による前面板の厚さ方向の概略垂直断面構成図を示す。
【００２２】
図１において、本発明による前面板は、後述する微細な先細の錐台状突起がその突起を出射光３５側に向けて林立する針状形状光学シート１で、表示装置の表示パネル２の前面に光学的に透明な接着層３で接着されている。
【００２３】
なお、表示装置は、発光パターンがランベルト分布に従う自発光型の画素をマトリクス状に配列した表示パネルを用いたものであり、表示パネルとしては、例えば、ＣＲＴ、ＰＤＰ、ＦＥＤ、ＬＥＤ（Light  Emitting  diode）をマトリクス状に配列したＬＥＤパネル、あるいはＥＬ（Electro  Luminescence）をマトリクス状に配列したＥＬパネルなどがある。
【００２４】
本実施例では、後述するように、上記微細な錐台状突起で外光２０を減衰させるので、表示装置あるいは表示パネルへの映り込みを低減でき、明室コントラストを向上させることができると同時に、光源となる表示画素間のクロストークを低減するために、突起形状を工夫している。なお、図１において、出射光３５は表示パネルから出射する映像光である。また、いうまでもないが、表示パネル２と針状形状光学シート１の屈折率は空気のそれより大きい。
【００２５】
図２は、第１の実施例を示す図で、図１のＡ部を拡大した前面板である針状形状光学シートの概略模式図である。図３は、針状形状光学シートの個別の要素である傾斜部が凸関数で近似できる形状を持った先細の錐台状突起の拡大模式図である。本実施例では、錐台状突起としてその径が両端面で異なる先細の円錐台状突起を用いている。
【００２６】
図２，３において、針状形状光学シート１は、表示パネル２からの光を導光する針状導光路体１１０としての円錐台状突起を、単位画素あたり所定の密集度で形成したシート状の前面板である。針状形状光学シート１の前面板は、円錐台状突起の径（太さ）の大きな方の端面部側が表示パネル２の前面に透明な接着層３で接着されている。また、円錐台状突起の出射面には、光を拡散させる拡散面４が設けられており、出射光３５の出射分布を所定の特性に制御できるようになっている。
【００２７】
このように構成することで、ＰＤＰやＦＥＤのような指向性のない、あるいはブロードな指向性を有する表示素子に対しても、後述するように、画素間のクロストークを低減、およびコントラスト向上の両方の効果を同時に達成できる。
【００２８】
なお、針状導光路体１１０の径（太さ）を表示パネル２の単位画素よりも十分に小さくすれば（ほぼ１／５以下）、画素のサンプリングにまつわる問題も軽減され、有効に機能することは言うまでもない。
【００２９】
ここで図３を用いて針状導光路体１１０（円錐台状突起部）の側面の傾斜部の形状について説明する。図３に示すように、針状導光路体１１０の側面側の傾斜部１１５の形状は、直線形状１１６でも実現できるが、本実施例では、表示パネル２側に凸な関数（以下、「凸関数」と記す）で近似できる曲率をもったものとしている。
【００３０】
今、表示パネル２側に最も近い針状導光路体間の底の部分を原点として、光の出射方向をＹ軸、これに直交する方向をＸ軸とする直交座標をとると、傾斜部１１５の領域内のｘ座標ｘ１，ｘ２について、傾斜部１１５の形状は数１で規定される凸関数で概略近似できる。
【００３１】
【数１】
2006146093.tif 000003
【００３２】
凸関数としては、乱反射を考慮して滑らかな曲線が望ましいことはいうまでもない。
【００３３】
凸関数としては色々あり、具体的には数２で示されるものがある。
ｙ＝｜a×ｘｎ｜…（数２）    （但し、ｎは１より大きい正数、ａは任意の係数）
一例を上げるならば、ｘ２はその代表的なものである。勿論、数１や数２を満足するように、傾斜部の領域を複数領域に分割し、領域毎にそれぞれ異なる関数を組み合わせてもよい。但し、その領域境界では乱反射を低減するために滑らかに接続されるのが望ましい。ここで、滑らかというのは数学的な意味も含むのは言うまでもない。
【００３４】
針状導光路体１１０の傾斜部１１５の形状を直線形状１１６とするよりも、数１，数２で近似できる曲線の形状とした方が、表示パネル面からの光を針状導光体１１０内部で反射する量が多くなり、表示パネルからの光の損失は低下する。また、表示パネルからの光に対する傾斜部の角度の関係で傾斜部を直線としたものよりも、針状導光体１１０のＹ軸方向の高さ（例えば図４のt1+t2）を低く構成することが出来る。
【００３５】
これにより、針状導光体１１０型の深さを浅くすることができ、製造が飛躍的に容易となる。また、シート形状とするので針状形状光学シートの取り扱いも容易となる。さらにまた、針状導光体１１０のＹ軸方向の高さを低くすることにより、前面板の強度の向上に寄与する。
【００３６】
次に、本実施例における画素間のクロストークを低減する原理について、図４又は図５を用いて説明する。図５は、表示パネルの画素である光源（発光点）からの出る光の分布を示す。この例で説明のために取り上げるＰＤＰの画素４００，４０１から出る光の分布４１０は、図５に示すように、ランベルト分布と呼ばれるものである。図５において、中心の光の強度をＩ０とすると、角度θ方向の光の強度はＩ０ｃｏｓθで表される。この分布により、ＰＤＰやＦＥＤ、およびＣＲＴなどは、かなり広い範囲（広視野角）で画像を見ることができる。
【００３７】
本実施例では、表示画素（例えば４００）である光源から光取り込み口（突起部の入射面）までの距離ｔ１が、図４で示すように、従来技術を表した図８の場合より小さくなる。これは、透過型スクリーンにおいては、所定の強度を保つためにある程度の厚みが必須構成なる場合とは異なり、プラズマディスプレイパネルの場合では表示パネル等の基盤が前面板の隣接には構成されるため、距離t1を薄くしたとしてもある程度の強度を保つことができるためである。さらに、t1が小さくなることにより、針状導光路体底面における隣接画素（例えば４０１）からの漏れ込み光量が少なくなり、明室コントラストを向上させるというメリットもある。
【００３８】
また、１つの表示画素４００領域に複数の針状導光路体が含まれるので、針状導光路体の底面の平坦部を従来に比べて低減でき、更に、針状導光路底面部が曲率を持った曲面となっているため、画素４００あるいは４０１から出た光が、再び反射で戻ってくる量は非常に小さいため、迷光は少ない。また、針状導光路体となる円錐台状突起の径を表示画素に対して十分小さなものとすればするほど（例えば１／５以下）、上記画質劣化、コントラスト低下は十分無視できるようになる。
【００３９】
図６は、図４に示す針状導光路体１１０の部分拡大詳細図で、その動作を説明する図である。図６において、針状導光路体１１０は、表示パネルから針状導光路体１１０に入射する入射光３０の主光軸８に直交する断面積が出射方向に次第に小さくなる傾斜部１１５が数１，数２で規定される形状を持った円錐台状の空間を形成しており、針状導光路体１１０に入射した入射光３０は、針状導光路体１１０内部の円錐台状空間内を空気との界面で図示のごとく全反射を繰り返しながら大きな減衰を受けることなく伝播し、拡散面４から拡散されて出射光３５として出射する。
【００４０】
この時、針状導光路体１１０の側面の傾斜部１１５の形状は、数１，数２で示される凸関数なので、傾斜部１１５の傾きは、底面部近傍を除いて、直線形状１１６より急峻で大きく、表示パネルの表示画素からの指向性のないあるいはブロードな指向特性（即ち、主光軸８に対して斜めに交差する光の成分を含む）の入射光３０を図のように効率よく針状導光体１１０に取り込むことができる。
【００４１】
なお、針状導光路体１１０の主光軸８に直交する断面積は、表示パネルの単位画素面積に比べて十分小さく、もし、針状導光路体１１０の出射側面に拡散面４がなければ、出力光３５は主光軸８に略平行な光となるので、拡散面４で拡散する必要がある。
【００４２】
一方、外光２０は、２つの空気より屈折率の大きな針状導光路体１１０の表面間（即ち、針状導光路体１１０と隣接する針状導光路体１１０との間に形成される凹状の溝７）で図示されるように多重反射し、反射するたびに反射係数がかかり減衰する。減衰の程度は著しく、具体的には下記に示す。
【００４３】
外光２０の輝度をｂとし、針状導光路体１１０の表面反射率をｋ（ｋ＜１）とし、反射の回数をｎとすると、ｎ回反射した外光の輝度は、下記の数３で示される。
ｂ×（ｋ）ｎ …  （数３）
例えば、外光２０が針状導光路体１１０の表面に大きな入射角で入射しても、図示のように、次第に入射角が小さくなり、反射回数が増大する。そして、途中で向きが反転して観視者側に戻ってくるが、この間に外光２０は十分に減衰するので、明室コントラストを従来に比して向上させることができる。
【００４４】
今までの説明では、針状導光路体１１０側面の斜面の処理については言及しなかったが、コントラストの性能をさらに上げるために、図６に示すように、針状導光路体の傾斜部１１５の上に光反射膜５を設け、更に光反射膜５の上に光吸収膜６をつけても良い。このように処理すれば、全反射条件を満たさずに針状光導路体１１０からもれ出る光が減少し、パネルからの発光の無駄が抑えられる。
【００４５】
また、光反射膜５の上に光吸収膜６をつけることにより、外光の吸収も行われ、効果は一段と増加することになる。
【００４６】
また、拡散面４は、出射光を目的に応じて拡散させる光学機能を有するもので、最も簡単には、出射面表面を微細にあらし、光を散乱させればよい。また、拡散量を制御するために、出射面にマイクロプリズム形状やレンズ形状をつけても良い。要は、表示装置として、どの程度の視野角が要求されるかにより、いろいろな光学手段を適用すればよいことは言うまでもない。勿論、視野角を狭め、特定の領域で高い輝度が要求される用途に用いる場合は、拡散面４を施す必要はない。また、光の出射方向をそろえる為に光学的に形状を設計することも出来る。
【００４７】
このようにして、表示パネルの前面に配設された前面板からの出射光と前面板へ入射して観視者側へ戻ってくる外光の比率が大きくなり、明るい部屋でも明室コントラストの高い映像が得られることになる。
【００４８】
以上述べたように、本実施例によれば、表示装置の表示パネルからの光を、透過率を下げて減衰させる必要がなく、表示パネルからの出射光をほぼ同等の明るさに保ちながら、外光の反射光を低減できるので、明室コントラストを良好に向上させることができる。さらに、画素間のクロストークや迷光による画像の劣化（ボヤケ）、コントラスト低下も同時に解決でき、鮮鋭度およびコントラストの高い映像が実現できる。
【００４９】
なお、黒色の光吸収膜６を導電性の物質（例えばカーボンなど）とし、グラウンド電位に接地すれば、不要輻射などのノイズを低減するシールドとしても用いることができる。
【００５０】
また、図９は、前述した前面板を外光の入力方向から見た図である。図９（１）は、複数の円状の拡散面４が格子状に接するように構成した図であり、斜線部aは拡散面の隙間から見える領域を示す。図９（２）は、それぞれの拡散面４の円の中心位置をずらして接するように構成した図であり、斜線部ｂは拡散面の隙間から見える領域を示す。これらの領域は、迷光や漏光のことを考慮すれば小さい方が好ましく、従って、図９（１）より図９（２）のように前面板を構成する方が望ましいというのは言うまでもない。
【実施例２】
【００５１】
図７は、第２の実施例である前面板の針状導光路体部分を示すものである。本実施例は、第１の実施例とは、相隣接する針状導光路体間の凹状の溝７の部分に光吸収体９を充填し、外光を吸収するようにした点が異なる。
【００５２】
図７において、林立した針状導光路体１１０間の凹状の溝７の部分に、例えば、光を吸収する黒色の光吸収体９を充填し、光吸収体９で外光２０を吸収するようにできるので、よりコントラストの向上を図ることができる。また、光吸収体９の充填で針状導光路体部分の機械的強度も増加できる。
【００５３】
また、この光吸収体８を導電性の物質（例えば、カーボンなど）とし、グラウンド電位に接地すれば、不要輻射などのノイズを低減するシールドとしても使える。
【００５４】
以上述べた実施例では、針状導光路体は透過率が良好で、表示パネルからの出射光を減衰させないものとして説明したが、これに限定されるものではなく、透過率を下げれば、さらにいろいろな光学特性が得られることはいうまでもない。
【００５５】
上記実施例に限らず，その要旨を逸脱しない範囲内で種々変形して実施することが可能である。更に、上記実施の形態には種々の発明が含まれており、開示される複数の構成要件における適宜な組み合わせにより種々の発明が抽出され得る。例えば、実施の形態に示される前構成要件からいくつかの構成要件が削除されても、発明が解決しようとする課題の欄で述べた課題の少なくとも一つが解決でき、発明の効果の欄で述べられている効果の少なくとも一つが得られる場合には、この構成要件が削除された構成が発明となる。
【図面の簡単な説明】
【００５６】
【図１】本実施例の全体の概略構成図である。
【図２】第１の実施例を示す前面板である針状形状光学シートの概略模式図である。
【図３】第１の実施例の針状導光路近傍の拡大模式図である。
【図４】画素間のクロストークを低減する原理を説明する図である。
【図５】画素から出力される光の分布パターン図である。
【図６】第１の実施例の針状導光路体部分の拡大詳細図である。
【図７】第２の実施例である前面板の針状導光路体部分を示す図である。
【図８】従来の前面板の機能を説明する図である。
【図９】本実施例における前面板を出射光側から見た図である。
【符号の説明】
【００５７】
１  針状形状光学シート、３  透明接着層、４  拡散面、５  光反射膜、６  光吸収膜、７ 凹状の溝、８  主光軸、９  光吸収体、２０  外光、３０  入射光、３５  出射光、
１１０  針状導光路体、１１５  傾斜部、１１６  直線形状、１５０  平坦部、２００  前面板、２１０  反射防止膜、４００  表示画素、４０１  隣接表示画素、５００  漏光、５０１  迷光
【図１】
2006146093.tif 000004
【図２】
2006146093.tif 000005
【図３】
2006146093.tif 000006
【図４】
2006146093.tif 000007
【図５】
2006146093.tif 000008
【図６】
2006146093.tif 000009
【図７】
2006146093.tif 000010
【図８】
2006146093.tif 000011
【図９】
2006146093.tif 000012